(57)【特許請求の範囲】
【請求項１】
窓に沿って配置されそれぞれ反射面を有する複数の反射板と、
各反射板を前後方向及び左右方向にそれぞれ傾動可能に支持する反射板支持機構と、
各反射板の前後方向の傾動角度を連動させて変更するための前後傾動角度変更機構と、
各反射板の左右方向の傾動角度を連動させて変更するための左右傾動角度変更機構と
を具備する窓用光誘導装置であって、
左右方向位置が同一でありそれぞれ上下方向に離間する複数の反射板を接続して反射板ユニットを形成し、前記反射板ユニットを左右方向に離間させた状態で複数設け、
前記前後傾動角度変更機構及び前記左右傾動角度変更機構が、各反射板ユニットを形成する反射板の傾動角度を連動させて変更することを特徴とする窓用光誘導装置。
【請求項２】
前記反射板支持機構が、対をなす前後傾動用紐と対をなす左右傾動用紐とを利用して複数枚の反射板を上下方向に間隔を開けて懸吊支持するものである請求項１記載の窓用光誘導装置。
【請求項３】
前後傾動角度変更機構が、前記対をなす前後傾動用紐を相対的に上下移動させることにより前記各反射板を一斉に前後方向に傾動させ得るようにしたものである請求項２記載の窓用光誘導装置。
【請求項４】
左右傾動角度変更機構が、前記対をなす左右傾動用紐を相対的に上下移動させることにより前記各反射板を一斉に左右方向に傾動させ得るようにしたものである請求項２又は３記載の窓用光誘導装置。
【請求項５】
前記反射板が平板状のものである請求項１、２、３又は４記載の窓用光誘導装置。
【請求項６】
天井に設けた拡散板に向けて太陽光を導くべく前後傾動角度変更機構及び左右傾動角度変更機構の傾動調整範囲が設定されている請求項１、２、３、４又は５記載の窓用光誘導装置。
【請求項７】
前記反射板が、窓を構成する外ガラスと内ガラスとの間に形成される空間に配されている請求項１、２、３、４、５又は６記載の窓用光誘導装置。
【発明の詳細な説明】
【技術分野】
【０００１】
本発明は、オフィス、工場、家屋その他の建築物に設けられ、太陽光を室内に導くための窓用光誘導装置に関する。
【背景技術】
【０００２】
従来より、省電力化を図るべく、太陽光を室内に導き照明等に利用するための構成が種々考えられてきている。このような構成の一例として、屋外に設置してなる採光部、室内に配置してなる照明端末、及びこれら採光部及び照明端末を接続する光ファイバーとを備えた太陽光集光照明装置が考えられている（例えば、特許文献１を参照）。
【０００３】
ところが、特許文献１記載のものの構成では、採光部と照明端末とを接続する光ファイバーの配線を天井裏や壁内等に施す必要がある。しかし、家屋、工場、オフィスビル等に代表される建築物の天井裏や壁内等に光ファイバーの配線工事を行うにあたっては、大がかりな工事等を要することがあるという問題が存在する。
【先行技術文献】
【特許文献】
【０００４】
【特許文献１】特開平６−３００９２９号公報
【発明の概要】
【発明が解決しようとする課題】
【０００５】
本発明は以上の点に着目し、天井裏や壁内等に大がかりな工事を必要とせず、また家屋、工場、オフィスビル等、この窓用光誘導装置が設けられる建築物の設計の自由度を確保しつつ、簡単な構成により太陽光の室内への導入を図ることを目的とする。
【課題を解決するための手段】
【０００６】
すなわち本発明に係る窓用光誘導装置は、窓に沿って配置されそれぞれ反射面を有する複数の反射板と、各反射板を前後方向及び左右方向にそれぞれ傾動可能に支持する反射板支持機構と、各反射板の前後方向の傾動角度を連動させて変更するための前後傾動角度変更機構と、各反射板の左右方向の傾動角度を連動させて変更するための左右傾動角度変更機構とを具備する窓用光誘導装置であって、左右方向位置が同一でありそれぞれ上下方向に離間する複数の反射板を接続して反射板ユニットを形成し、前記反射板ユニットを左右方向に離間させた状態で複数設け、前記前後傾動角度変更機構及び前記左右傾動角度変更機構が、各反射板ユニットを形成する反射板の傾動角度を連動させて変更することを特徴とする。
【０００７】
このようなものであれば、複数の反射板を窓に沿って配置し、この反射板の前後方向及び左右方向の傾動角度を変更することにより室内の所望の位置に太陽光を導くことができるので、大がかりな配線工事を伴うことなく、簡単な構成により太陽光の室内への導入を図ることができる。
【０００８】
このような窓用光誘導装置の反射板の具体的な設置態様の一例として、前記反射板支持機構が、対をなす前後傾動用紐と対をなす左右傾動用紐とを利用して複数枚の反射板を上下方向に間隔を開けて懸吊支持するものが挙げられる。
【０００９】
前段で述べた反射板支持機構を有する窓用光誘導装置において、簡単な構成により複数の反射板の前後方向の傾動角度を一斉に変化させるには、前後傾動角度変更機構が、前記対をなす前後傾動用紐を相対的に上下移動させることにより前記各反射板を一斉に前後方向に傾動させ得るようにしたものが望ましい。
【００１０】
また、上述した反射板支持機構を有する窓用光誘導装置において、簡単な構成により複数の反射板の左右方向の傾動角度を一斉に変化させるには、左右傾動角度変更機構が、前記対をなす左右傾動用紐を相対的に上下移動させることにより前記各反射板を一斉に左右方向に傾動させ得るようにしたものが望ましい。
【００１１】
前記反射板を容易に形成することができる態様の一例として、前記反射板が平板状のものが挙げられる。
【００１２】
このような窓用光誘導装置を照明器具として利用するために有効な態様の一例として、天井に設けた拡散板に向けて太陽光を導くべく前後傾動角度変更機構及び左右傾動角度変更機構の傾動調整範囲が設定されているものが挙げられる。
【００１３】
そして、内ガラス及び外ガラスを備えた二重窓を有する建築物において、特別な設置スペースを室内に確保することなくこのような窓用光誘導装置を設置できる態様として、前記反射板が、窓を構成する外ガラスと内ガラスとの間に形成される空間に配されているものが挙げられる。
【発明の効果】
【００１４】
本発明の窓用光誘導装置の構成によれば、複数の反射板を窓に沿って配置し、この反射板の前後方向及び左右方向の傾動角度を変更することにより室内の所望の位置に太陽光を導くことができるので、天井裏や壁内等に大がかりな工事を必要とせず、また家屋、工場、オフィスビル等、この窓用光誘導装置が設けられる建築物の設計の自由度を確保しつつ、簡単な構成により太陽光の室内への導入を図ることができる。
【図面の簡単な説明】
【００１５】
【図１】本発明の一実施形態に係る窓用光誘導装置が設けられた建造物を示す図。
【図２】図１におけるＡ−Ａ断面図。
【図３】同実施形態に係る窓用光誘導装置を示す全体斜視図。
【図４】図３における要部を拡大して示す図。
【図５】同実施形態に係る前後傾動角度変更機構の作動説明図。
【図６】同実施形態に係る左右傾動角度変更機構の作動説明図。
【図７】同実施形態に係る制御装置及び手動操作部を示す概略図。
【図８】同実施形態に係る窓用光誘導装置を示す機能ブロック図。
【図９】同実施形態に係る制御装置が実行する処理を示すフローチャート。
【図１０】同実施形態に係る制御装置が実行する処理を示すフローチャート。
【図１１】同実施形態に係る制御装置が実行する処理を示すフローチャート。
【発明を実施するための形態】
【００１６】
本発明の一実施形態について、図１〜図１１を参照しつつ以下に述べる。
【００１７】
本実施形態に係る窓用光誘導装置１は図１に示すような家屋等の建築物Ｂの窓Ｗに設けられる。
【００１８】
より具体的には、この窓用光誘導装置１は、図２に示すように、二重窓を構成する外ガラスＷ１と内ガラスＷ３との間に形成される空間ＷＳに配置される。
【００１９】
さらに詳述すると、この窓用光誘導装置１は、図３〜図７に示すように、窓Ｗに沿って配置されそれぞれ反射面３ｘを有する複数の反射板３と、各反射板３を前後方向及び左右方向にそれぞれ傾動可能に支持する反射板支持機構５と、各反射板３の前後方向の傾動角度を連動させて変更するための前後傾動角度変更機構７と、各反射板３の左右方向の傾動角度を連動させて変更するための左右傾動角度変更機構９と、全ての反射板３を窓Ｗの上端近傍に収納させるための反射板収納機構１１と、各反射板３の前後方向及び左右方向の傾動角度を変更させるための手動操作を受け付けるとともに太陽光を自動追尾させる制御に先立つ初期設定の際の各命令の手動入力をも受け付ける手動操作部１３と、反射光を天井に設けた拡散板Ｋに導くようにすべく少なくとも窓Ｗの位置情報及び日時情報をパラメータとして反射板３の前後方向及び左右方向の傾動角度を特定し、前記前後傾動駆動機構７及び前記左右傾動駆動機構９を作動させる制御装置１５とを具備する。ここで、窓Ｗの位置情報とは、窓Ｗの経度、緯度及び窓Ｗの向きを示すデータに対応する情報である。
【００２０】
反射板３は、図３〜図６に示すように、矩形の平板状のものであり、その一方の面が反射面３ｘである。また、互いに上下方向に隣接する反射板３は、第１の所定の間隔、より具体的には短辺の長さよりもわずかに長い間隔で互いに離間している。一方、互いに左右方向に隣接する反射板３は、第２の所定の間隔、より具体的には長辺の長さよりもわずかに長い間隔で互いに離間している。そして、各反射板３は、反射板支持機構５により各辺の中心点を懸吊支持されていて、左右両側縁の中間３ｃ、３ｄを結ぶ線分である前後傾動の中心軸Ｌ１、及び前後両側縁の中間３ａ、３ｂを結ぶ線分である左右傾動の中心軸Ｌ２をそれぞれ軸として回転可能である。すなわち、この反射板３は、反射板支持機構５により２軸回転可能に支持されている。
【００２１】
反射板支持機構５は、図４〜図６に示すように、対をなす前後傾動用紐１９と対をなす左右傾動用紐２１とを利用して複数枚の反射板３を上下方向に間隔を開けて懸吊支持する。対をなす前後傾動用紐１９は、上下方向に離間する各反射板３それぞれの前端縁の中間３ａ及び後端縁の中間３ｂにそれぞれ接続している。また、対をなす前後傾動用紐１９の上端部は一体に接続していて、第１の滑車２３に掛け回されている。左右傾動用紐２１は、上下方向に離間する各反射板３それぞれの左端縁の中間３ｃ及び右端縁の中間３ｄに接続している。また、対をなす左右傾動用紐２１の上端部は一体に接続していて、第２の滑車２５に掛け回されている。さらに、左側の左右傾動用紐２１は、第２の滑車２５と上端に位置する反射板３との間において、反射板３の左端縁の中間３ｃに向けて案内するための第１の案内機構である第３の滑車２７に掛け回されている。右側の左右傾動用紐２１は、第２の滑車２５と上端に位置する反射板３との間において、反射板３の右端縁の中間３ｄに向けて案内するための第２の案内機構である第４の滑車２９及び第５の滑車３１に掛け回されている。なお、第１〜第５の滑車２３、２５、２７、２９、３１と各傾動用紐１５、１７との間には、滑り止め加工が施されている。また、この反射板支持機構５は窓Ｗの上端近傍に配され、図示しないカバーにより被覆されている。そして、前後傾動用紐１９及び左右傾動用紐２１は、それぞれ前後傾動角度変更機構７及び左右傾動角度変更機構９に駆動されて反射板３の傾動方向を変更するための作用を反射板３に伝達する。
【００２２】
前後傾動角度変更機構７は、図４及び図５に示すように、反射板３を左右方向に延びる前後傾動の中心軸Ｌ１回りに回転させるための駆動源である前後傾動用モータ３３と、この前後傾動用モータ３３の出力軸３３ａに接続してなる前記第１の滑車２３とを備えている。すなわち、図５に示すように、前後傾動用モータ３３から第１の滑車２３に回転力を伝達し、第１の滑車２３に掛け回されていて対をなす前後傾動用紐１９を上下方向に相対移動させることにより、前後傾動用紐１９に接続された各反射板３の前端縁の中間３ａ及び後端縁の中間３ｂを上下移動させ、反射板３の前後方向の傾動角度を変更するよう構成されている。
【００２３】
左右傾動角度変更機構９は、図４及び図６に示すように、反射板３を前後方向に延びる左右傾動の中心軸Ｌ２回りに回転させるための駆動源である左右傾動用モータ３５と、この左右傾動用モータ３５の出力軸３５ａに接続してなる駆動歯車３７ａ及びこの駆動歯車３７ａに噛合する従動歯車３７ｂにより構成される歯車対３７と、この歯車対３７の従動歯車３７ｂに接続してなる前記第２の滑車２５とを備えている。すなわち、図６に示すように、左右傾動用モータ３５から歯車対３７を介して第２の滑車２５に回転力を伝達し、第２の滑車２５に掛け回されていて対をなす左右傾動用紐２１を上下方向に相対移動させることにより、左右傾動用紐２１に接続された各反射板３の左端縁の中間３ｃ及び右端縁の中間３ｄを上下移動させ、反射板３の左右方向の傾動角度を変更するよう構成されている。そして、左右方向位置が同一でありそれぞれ上下方向に離間する複数の反射板３、これら反射板を吊持する各傾動用紐１５、１７、これら各傾動用紐１５、１７が掛け回される第１〜第５の滑車２３、２５、２７、２９、３１、及び前記第２の滑車２５に駆動力を伝達する歯車対３７により反射板ユニット１７が形成されている。本実施形態の窓用光誘導装置１においては、この反射板ユニット１７が左右方向に前記第２の所定の間隔だけ離間させた状態で複数設けられている。
【００２４】
反射板収納機構１１は、図示しない巻き上げ紐と、上下に延伸し前記各反射板３を貫通するとともに前記巻き上げ紐から操作力の伝達を受ける図示しない昇降コードと、この昇降コードの下端部が接続されているとともに前記巻き上げ紐の下端部も接続され最も下端に位置する反射板３のさらに下方に位置する図３に示すようなボトムレール３９とを備えている。また、この反射板収納機構１１は、前記巻き上げ紐が上方から下方に向かう方向の操作力を受けると、前記昇降コードが操作力の伝達を受けてボトムレール３９を上方に引き上げ、ボトムレール３９に衝き当たった各反射板３が順次ボトムレール３９の上方に積み重ねられてボトムレール３９が可動範囲の上端に達した際に各反射板３が全て窓Ｗの上端近傍に収納される構成を有する。なお、図面では、反射板３に設けた昇降コードを貫通させるための孔は図示を省略している。すなわち、この反射板収納機構１１は、一般的に広く用いられているブラインドの巻取機構と略同様の構成を有する。そして、この窓用光誘導装置１は全体としてブラインドとしての機能も有する。
【００２５】
手動操作部１３は、図７に概略的に示すように、前後方向傾動角度の手動操作を受け付けるための前後傾動角度変更ダイヤル４１、左右方向傾動角度の手動操作を受け付けるための左右傾動角度変更ダイヤル４３、初期設定を開始させるための命令の入力を受け付ける初期設定開始ボタン４５、位置設定のための反射板３の角度調整を完了させるための命令の入力を受け付ける位置設定完了ボタン４７、天井に設けた拡散板Ｋに太陽光を導く方向調節を行うための反射板３の角度調整を完了させるための命令の入力を受け付ける角度調整完了ボタン４９及びこの窓用光誘導装置１の取り付け対象である窓Ｗの向きの入力を受け付けるための窓位置入力用テンキー５１を備えている。ここで、窓Ｗの向きは、窓Ｗの法線が真南となす角度として表され、窓Ｗが東寄りを向く場合にはプラス、窓Ｗが西寄りを向く場合にはマイナスの数値を有する。
【００２６】
そして制御装置１５は、図７に概略的に示すように、中央演算処理装置（以下ＣＰＵ１５ａと称する）、ＲＡＭや外部記憶装置等の記憶装置１５ｂ、リアルタイムクロック（以下ＲＴＣ１５ｃと称する）、入力インタフェース１５ｄ及び出力インタフェース１５ｅ等を備えたマイクロコンピュータシステムを利用して構成している。
【００２７】
入力インタフェース１５ｄには、前記手動操作部１３、前後傾動用モータ３３に内蔵又は近接して設けられる第１のエンコーダ５３、及び左右傾動用モータ３５に内蔵又は近接して設けられる第２のエンコーダ５５が接続されている。
【００２８】
手動操作部１３からは、前後傾動角度変更ダイヤル４１が受け付けた入力に対応する前後傾動角度変更信号ａ、左右傾動角度変更ダイヤル４３が受け付けた入力に対応する左右傾動角度変更信号ｂ、初期設定開始ボタン４５に対する入力を受け付けたことを示す初期設定開始信号ｃ、位置設定完了ボタン４７に対する入力を受け付けたことを示す位置設定完了信号ｄ、角度調整完了ボタン４９に対する入力を受け付けたことを示す方向調節完了信号ｅ及び窓位置入力用テンキー５１による入力に対応する窓位置信号ｆの入力を受け付ける。第１のエンコーダ５３からは、前後傾動用モータ３３の出力軸の位相の現在値、すなわち前後方向の傾動角度を示す前後方向傾動角度信号ｇの入力を受け付ける。第２のエンコーダ５５からは、左右傾動用モータ３５の出力軸の位相の現在値、すなわち左右方向の傾動角度を示す左右方向傾動角度信号ｈの入力を受け付ける。
【００２９】
出力インタフェース１５ｅには、前記前後傾動用モータ３３及び前記左右傾動用モータ３５が接続されている。前記前後傾動用モータ３３には、この前後傾動用モータ３３を駆動するための前後傾動信号ｌが出力される。前記左右傾動用モータ３５には、この左右傾動用モータ３５を駆動するための前後傾動信号ｍが出力される。
【００３０】
記憶装置１５ｂには、窓Ｗの位置を特定するための位置情報設定ルーチンと反射面３ｘに入射した太陽光を拡散板Ｋに導くようにすべく反射板３の向きを調整するための設定を行う方向調節ルーチンとからなる初期設定プログラム、及び初期設定プログラムを実行することにより設定された日時と反射板３の向きとの対応に基づき反射板の向きを制御するための太陽自動追尾プログラムが内蔵されている。ここで、ＣＰＵ１５ａが初期設定プログラムを実行することにより、この窓用光誘導装置１を構成する制御装置１５、前後傾動角度変更機構７及び左右傾動角度変更機構９が協働して、図８に示すように、初期設定開始指令受付手段１０１、窓方向入力受付手段１０３、第１の傾動方向手動制御受付手段１０５、位置設定完了指令受付手段１０７、位置特定手段１０９、日時情報取得手段１１１、位置情報データベース１１３、第２の傾動方向手動制御受付手段１１５、方向調節完了指令受付手段１１７、及び日時傾動角度対応特定手段１１９を備えた初期設定部１５Ｘとして機能する。また、ＣＰＵ１５ａが太陽自動追尾プログラムを実行することにより、この窓用光誘導装置１を構成する制御装置１５、前後傾動角度変更機構７及び左右傾動角度変更機構９が協働して、傾動角度記憶手段１２１及び傾動角度自動制御手段１２３を備えた太陽自動追尾制御手段１５Ｙとして機能する。
【００３１】
初期設定開始指令受付手段１０１は、初期設定開始ボタン４５が入力を受け付けた際に出力される初期設定開始信号ｃを受け取り、初期設定プログラムを開始させるべく、初期設定開始信号ｃを窓方向入力受付手段１０３に渡す。
【００３２】
窓方向入力受付手段１０３は、初期設定開始信号ｃを受け取った後、窓位置入力用テンキー５１による窓Ｗの向きの入力を受け付け、入力された窓Ｗの向きに対応する窓位置信号ｆを第１の傾動方向手動制御受付手段１０５に渡す。
【００３３】
第１の傾動方向手動制御受付手段１０５は、窓位置信号ｆを受け取った後、前後傾動角度変更ダイヤル４１及び左右傾動角度変更ダイヤル４３に対する入力を受け付け、受け付けた入力に対応する前後傾動角度変更信号ａ及び左右傾動角度変更信号ｂを出力するとともに、後述する位置設定完了指令受付手段１０７から位置設定完了信号ｄを受け取り、前記窓位置信号ｆに加えて前後方向傾動角度信号ｇ及び左右方向傾動角度信号ｈを位置特定手段１０９に渡す。
【００３４】
位置設定完了指令受付手段１０７は、反射光が所定の調整位置に達したこと、すなわち位置設定完了ボタン４７が入力を受け付けたことを示す位置設定完了信号ｄを第１の傾動方向手動制御受付手段１０５に渡す。ここで、前記所定の調整位置は、窓Ｗの中心から窓Ｗを構成するガラス（本実施形態では内ガラスＷ３）の内面の法線に沿う方向及び鉛直上方にそれぞれ所定距離離間した位置に設定されるものであり、前記所定距離は全ての窓Ｗに共通である。
【００３５】
位置特定手段１０９は、窓位置信号ｆに加えて前後方向傾動角度信号ｇ及び左右方向傾動角度信号ｈを受け取るとともに、日時情報取得手段に日時情報取得命令を渡し日時情報取得手段から日時情報を受け取る。さらに、窓位置信号ｆ、前後方向傾動角度信号ｇ、左右方向傾動角度信号ｈ及び日時情報をパラメータとして位置情報データベース１１３に渡し、位置情報データベース１１３から窓Ｗの向き、経度及び緯度に対応する日時ごとの前後方向傾動角度及び左右方向傾動角度の対応を受け取る。
【００３６】
日時情報取得手段１１１は、位置特定手段１０９から日時情報取得命令を受け取った際に、ＲＴＣ１５ｃを参照して現在日時に対応する日時情報を位置特定手段１０９に渡す。
【００３７】
位置情報データベース１１３は、代表的な窓Ｗの向き、経度及び緯度に対応する日時と反射板３の前後方向傾動角度及び左右方向傾動角度との対応を記憶しているとともに、位置特定手段１０９から窓位置信号ｆ、前後方向傾動角度信号ｇ、左右方向傾動角度信号ｈ及び日時情報を受け取った際に、これらをパラメータとして窓位置及び現在日時と反射板３の前後方向傾動角度及び左右方向傾動角度との対応が一致する経度及び緯度を検索し、検索結果である経度及び緯度並びに窓位置信号ｆが示す窓Ｗの向き、換言すれば窓Ｗの位置を示す位置情報に対応する日時ごとの前後方向傾動角度及び左右方向傾動角度との対応を位置特定手段１０９に渡す。なお、初期設定開始指令受付手段１０１、窓方向入力受付手段１０３、第１の傾動方向手動制御受付手段１０５、位置設定終了指令受付手段１０７、位置特定手段１０９、日時情報受付手段１１１及び位置情報データベース１１３は、位置情報設定ルーチンを実行することにより窓Ｗの位置を特定するための位置情報設定部１５Ｘ１を構成している。
【００３８】
第２の傾動方向手動制御受付手段１１５は、窓Ｗの向き、経度及び緯度に対応する日時ごとの前後方向傾動角度及び左右方向傾動角度の対応を受け取った後、前後傾動角度変更ダイヤル４１及び左右傾動角度変更ダイヤル４３に対する入力を受け付け、受け付けた入力に対応する前後傾動角度変更信号ａ及び左右傾動角度変更信号ｂを出力するとともに、後述する方向調節完了指令受付手段１１７から方向調節完了信号ｅを受け取り、受け取った窓Ｗの向き、経度及び緯度に対応する日時ごとの前後方向傾動角度及び左右方向傾動角度の対応を示す情報に加え、前後方向傾動角度及び左右方向傾動角度の補正幅を示す情報を日時傾動角度対応特定手段１１９に渡す。
【００３９】
方向調節完了指令受付手段１１７は、反射光が天井に設けた拡散板Ｋに達したこと、すなわち角度調整完了ボタン４９が入力を受け付けたことを示す方向調節完了信号ｅを第２の傾動方向手動制御受付手段１１５に渡す。
【００４０】
日時傾動角度対応特定手段１１９は、受け取った窓Ｗの向き、経度及び緯度に対応する日時ごとの前後方向傾動角度及び左右方向傾動角度の対応を示す情報に加え、前後方向傾動角度及び左右方向傾動角度の補正幅を示す情報を受け取り、日時ごとの前後方向傾動角度及び左右方向傾動角度に前記補正幅を加算して、反射光を拡散板Ｋに到達させるための日時ごとの前後方向傾動角度及び左右方向傾動角度の対応を示す情報を傾動角度記憶手段１２１に渡す。なお、第２の傾動方向手動制御受付手段１１５、方向調節終了指令受付手段１１７及び日時傾動角度対応特定手段１１９は、方向調節ルーチンを実行することにより反射光を拡散板Ｋに到達させるための日時ごとの前後方向傾動角度及び左右方向傾動角度の対応を示す情報を特定するための方向調節部１５Ｘ２を構成している。
【００４１】
傾動角度記憶手段１２１は、反射光を拡散板Ｋに到達させるための日時ごとの前後方向傾動角度及び左右方向傾動角度の対応を示す情報を受け取り、記憶手段の所定領域に記憶する。
【００４２】
傾動角度自動制御手段１２３は、日時情報取得手段１１１に日時情報取得命令を渡し、現在日時を示す情報を受け取った後、この現在日時を示す情報をパラメータとして傾動角度記憶手段１２１の記憶内容を参照し、反射板３の傾動角度が現在日時に対応する参照結果である前後方向傾動角度及び左右方向傾動角度となるように前後傾動用モータ３３及び左右傾動用モータ３５を制御する。換言すれば、傾動角度自動制御手段１２３は、反射板３の傾動角度を、この反射板３の反射面３ｘの中心から太陽に向かう線分とこの反射板３の反射面３ｘの中心から拡散板Ｋの中心に向かう線分とがなす角の二等分線が該反射板３の反射面３ｘの法線と一致するような傾動角度となるように前後傾動用モータ３３及び左右傾動用モータ３５を制御する。
【００４３】
以下、初期設定プログラムによる制御の手順を、位置情報設定ルーチンのフローチャートである図９及び方向調節ルーチンのフローチャートである図１０を参照しつつ説明する。
【００４４】
まず、位置情報設定ルーチンについて説明する。まず、初期設定開始指令受付手段１０１は、初期設定開始ボタン４５への入力を受け付ける（ステップＳ１）。それから、初期設定開始信号ｃを受け取った窓方向入力受付手段１０３が窓位置入力用テンキー５１による入力を受け付ける（ステップＳ２）。第１の傾動方向手動制御受付手段１０５は、前後傾動角度変更ダイヤル４１及び左右傾動角度変更ダイヤル４３に対する入力を受け付けて反射板３の傾動角度を変更させる制御を行う（ステップＳ３）。位置設定完了指令受付手段１０７が位置設定完了ボタンへの入力を受け付けると（ステップＳ４）、位置特定手段１０９は、現在日時情報を取得し（ステップＳ５）、現在日時情報、窓位置信号ｆ、前後方向傾動角度信号ｇ、左右方向傾動角度信号ｈをパラメータとして日時と反射板３の傾動角度との対応を照会する（ステップＳ６）。一方、位置設定完了指令受付手段１０７が位置設定完了ボタンへの入力を受け付けていない状態では、引き続き第１の傾動方向手動制御受付手段１０５が反射板３の傾動角度を変更させる制御を行う（ステップＳ３）。
【００４５】
次いで、方向調節ルーチンについて説明する。第２の傾動方向手動制御受付手段１１５は、前後傾動角度変更ダイヤル４１及び左右傾動角度変更ダイヤル４３に対する入力を受け付けて反射板３の傾動角度を変更させる制御を行う（ステップＳ７）。方向調節完了指令受付手段１１７が位置設定完了ボタンへの入力を受け付けると（ステップＳ８）、日時傾動角度対応特定手段１１９は、ステップＳ６における照会結果とステップＳ７で取得した現在の前後方向傾動角度及び左右方向傾動角度に基づき、反射光を拡散板Ｋに到達させるための日時ごとの前後方向傾動角度及び左右方向傾動角度の対応を示す情報を特定して（ステップＳ９）傾動角度記憶手段１２１に渡す。
【００４６】
一方、初期設定の終了後に実行される太陽自動追尾プログラムによる制御の手順を、フローチャートである図１１を参照しつつ説明する。
【００４７】
傾動角度自動制御手段１２３は、現在日時を示す情報を受け取り（ステップＳ１１）、この現在日時を示す情報をパラメータとして傾動角度記憶手段１２１の記憶内容を参照し（ステップＳ１２）、参照結果である前後方向傾動角度及び左右方向傾動角度となるようにモータを制御する（ステップＳ１３）。この太陽自動追尾プログラムは、窓Ｗに太陽光が入射しなくなる時刻まで所定時間ごと、例えば５分ごとに繰り返し実行される。
【００４８】
以上に述べたように、本実施形態に係る窓用光誘導装置１の構成によれば、複数の反射板３を窓Ｗに沿って配置しているので、この反射板３の前後方向及び左右方向の傾動角度を変更することにより、天井に設けた拡散板Ｋに太陽光を導き、照明器具として使用することができる。従って、大がかりな配線工事を伴うことなく、簡単な構成により、太陽光を室内へ導入し照明に使用することができる。
【００４９】
また、前記反射板支持機構５が、対をなす前後傾動用紐１９と対をなす左右傾動用紐２１とを利用して複数枚の反射板３を上下方向に間隔を開けて懸吊支持するので、互いに隣接する反射板３間の限られたスペースに反射板３を支持させるための機構を設ける必要がなく、従って構造を簡単なものにできるとともに窓Ｗを通過する太陽光の量を確保することもできる。
【００５０】
さらに、前記前後傾動角度変更機構７が、前記対をなす前後傾動用紐１９を相対的に上下移動させることにより前記各反射板３を一斉に前後方向に傾動させ得るようにしたものであるので、極めて簡単な構成により複数の反射板３の前後方向の傾動角度を一斉に変化させることができる。
【００５１】
また、同様に、前記左右傾動角度変更機構９が、前記対をなす左右傾動用紐２１を相対的に上下移動させることにより前記各反射板３を一斉に左右方向に傾動させ得るようにしたものであるので、極めて簡単な構成により複数の反射板３の左右方向の傾動角度を一斉に変化させることができる。
【００５２】
加えて、前記反射板３が平板状のものであるので、前記反射板３を容易に形成することができる。
【００５３】
そして、前記反射板３が、窓Ｗを構成する外ガラスＷ１と内ガラスＷ３との間に形成される空間に配されているので、外ガラスＷ１及び内ガラスＷ３を備えた二重窓Ｗを有する建築物Ｂにおいて、特別な設置スペースを室内に確保することなくこのような窓用光誘導装置１を設置できる。
【００５４】
なお、本発明は以上に述べた実施形態に限らない。
【００５５】
例えば、反射板の反射面と反対側の面や側面に彩色を施してもよい。このようなものであれば、建造物の外部からこの窓用光誘導装置が設けられた窓を見た場合に、窓に模様が描かれているかのように見せかけることができる。
【００５６】
また、上述した実施形態のように天井に拡散板を設け、太陽光をこの拡散板に導くことにより照明器具として用いる態様の他に、天井に鏡を設け、この鏡により反射された太陽光を利用して布団や衣類の乾燥を行うようにする、すなわちこの窓用光誘導装置を布団や衣類を乾燥させるための乾燥器として用いる態様も考えられる。
【００５７】
さらに、反射板の支持態様も、上述した実施形態のような対をなす前後傾動用紐及び対をなす左右傾動用紐を利用して複数枚の反射板を上下方向に間隔を開けて懸吊支持するものに限らず、例えばそれぞれ窓の下枠から略鉛直方向に起立する複数の傾動支持棒に反射板各辺の中間を支持させる反射板支持機構、複数の傾動支持棒を上下方向に相対移動させることにより反射板の前後方向の傾動角度を変更させる前後傾動角度変更機構、及び複数の傾動支持棒を上下方向に相対移動させることにより反射板の左右方向の傾動角度を変更させる左右傾動角度変更機構を採用してもよい。
【００５８】
加えて、上述したような、制御装置により太陽の方向を自動追尾して反射板の傾動角度を変更する態様に限らず、前後傾動角度変更機構及び左右傾動角度変更機構に対する手動操作のみにより反射板の傾動角度を変更して天井に設けた拡散板等に太陽光を導く態様を採用してもよい。また、上述した実施形態に係るマイクロコンピュータシステムを利用した制御装置に替えて、パーソナルコンピュータに代表される汎用の情報処理装置を利用した制御装置を採用してももちろんよい。さらに、上述した実施形態における位置情報に窓の傾斜を示すデータを加えるようにしてもよい。この場合、窓位置入力用テンキーは窓の法線が水平方向をなす角度として示される窓の傾斜の入力をも受け付け、また、窓方向入力受付手段が出力する窓位置信号は、窓の傾斜を示すデータをも含む。さらに、位置情報データベースは、代表的な窓の傾斜に対応する日時と反射板の前後方向傾動角度及び左右方向傾動角度との対応を記憶している。そして、窓の位置の特定は、上述したような日時と反射板の前後方向傾動角度及び左右方向傾動角度との対応から経度及び緯度を特定する以外に、例えばキーボード等を利用して構成した位置入力手段が窓を備えた建築物の所在地を含む都市名の入力を受け付けるとともに、都市名と経度及び緯度との対応を記憶装置の所定領域を利用して形成した位置対応記憶手段に記憶しておき、位置入力手段が受け付けた都市名に対応する窓の経度及び緯度を位置特定手段が位置対応記憶手段の記憶内容から検索して特定する態様も考えられる。加えて、キーボード等を利用して構成した位置入力手段が都市名の入力を受け付ける態様に代えて、テンキー等を利用して構成した位置入力手段が窓の経度及び緯度の数字による入力を受け付ける態様も考えられる。
【００５９】
その他、本発明の反射板として、平板状のものに限らず凹面鏡等を利用する等、本発明の趣旨を損ねない範囲で種々に変形可能である。
【符号の説明】
【００６０】
１…窓用光誘導装置
３…反射板
５…反射板支持機構
７…前後傾動角度変更機構
９…左右傾動角度変更機構
１５…前後傾動用紐
１７…左右傾動用紐
【図１】
0005139564.tif 000002
【図２】
0005139564.tif 000003
【図３】
0005139564.tif 000004
【図４】
0005139564.tif 000005
【図５】
0005139564.tif 000006
【図６】
0005139564.tif 000007
【図７】
0005139564.tif 000008
【図８】
0005139564.tif 000009
【図９】
0005139564.tif 000010
【図１０】
0005139564.tif 000011
【図１１】
0005139564.tif 000012